(57)【要約】      （修正有）【課題】近年、広く知られるようになってきた角部を多く設けた消しゴムであるが、角部を多く設けるためには、隣接する角部間に形成される隙間となる空間も多くなってしまい、実際の消しゴムの体積に対して非常にかさばるものになってしまっていた。そこで、角部を多く持つ形状でありながら、コンパクトに収納できる消しゴムを供給する。【解決手段】軟質なリング状部材１に複数の消しゴム片２を接合し、その消しゴム片をリング状部材に対して格納、並びに、展開可能とした消しゴム。【選択図】図１
2008110556.tif 000002
【特許請求の範囲】
【請求項１】
軟質なリング状部材に複数の消しゴム片を接合し、その消しゴム片をリング状部材に対して格納、並びに、展開可能としたことを特徴とする消しゴム。
【請求項２】
前記複数の消しゴム片をリング状部材に着脱自在に取り付けたことを特徴とする請求項１に記載の消しゴム。
【発明の詳細な説明】
【技術分野】
【０００１】
本発明は鉛筆等による筆跡を消去するために用いる消しゴムに関するものである。
【背景技術】
【０００２】
消しゴムで鉛筆等による筆跡を消去する際、細かい部分の消去などに役立ち、最も使いやすいとされるのが消しゴムの角部である。しかし、消しゴムの角部は面積が少ないが故に消耗も早い。ちなみに、一般的な四角柱形状の消しゴムでは角部が８箇所しかないため、使いやすい角部を早々と消耗してしまい、その結果、角部が取れた丸に近い形状となった消しゴムを、使いにくいままの状態で使用しているユーザーが多く見られる。
従来の消しゴムの形状は四角柱形状やそれに類する形状のものが殆どであったが、前記のような問題に鑑み、近年は角部を多く設けたものも広く知られるようになってきた。
【特許文献１】特開２００５−２３１３７６
【発明の開示】
【発明が解決しようとする課題】
【０００３】
近年、広く知られるようになってきた角部を多く設けた消しゴムであるが、角部を多く設けるためには、隣接する角部間に形成される隙間となる空間も多くなってしまい、実際の消しゴムの体積に対して非常にかさばるものになってしまっていた。
そこで、本発明は角部を多く持つ形状でありながら、コンパクトに収納できる消しゴムを供給することを課題とする。
【課題を解決するための手段】
【０００４】
本発明は、軟質なリング状部材に複数の消しゴム片を接合し、その消しゴム片をリング状部材に対して格納、並びに、展開可能としたことを要旨とする。
【発明の効果】
【０００５】
本発明は、軟質なリング状部材に複数の消しゴム片を接合し、その消しゴム片をリング状部材に対して格納、並びに、展開可能としたので、本発明にかかる消しゴムは角部を多く持つ形状でありながら、筆入れや引き出しの中に収納する際にはかさばることなく、コンパクトに収納できるものである。
【発明を実施するための最良の形態】
【０００６】
図１は消しゴム片２をリング状部材１の外側に展開した状態の図であり、図２はリング状部材１を反転させて消しゴム片２を内側に格納した状態の図である。
断面形状円形である筒状のリング状部材１の表面には消しゴム片２が６つ接合されており、リング状部材１の表裏を反転させることにより、格納・展開が可能である。本例においては、６つの消しゴムが等間隔な位置に接合されており、また、格納した際には、互いが接触し最密充填された状態で格納されるが、これに限定されることなく、例えば、１つ措きに接合しても良い。
【０００７】
リング状部材１は、たとえば天然ゴムやブチルゴム、シリコンゴムなどの軟質である程度の伸縮性を持つゴム材料で形成されることが望ましいが、伸縮性を有するエラストマーなどの樹脂材料であっても良い。
【０００８】
消しゴム片２は扇形の突端を切り落としたような形状をしている。これは完全な扇形では消しゴム１つあたりの角部２１が６つであるのに対し、突端を落とすことにより使える角部２１が８つに増えるからである。
このことにより、６個の消しゴム片２がもつ角部２１を合計するとその数は４８個にもなる。
【０００９】
図３にリング状部材１から消しゴム片２を１つ分離するとともに、分離した消しゴム片２の断面を示す。
リング状部材１の表面から突出した突起部１１を消しゴムに設けられた穴部２２に挿入・嵌合してリング状部材１と消しゴム片２は接合されている。
【００１０】
図４に突起部１１の拡大図を示す。
突起部１１の中間部には大径部１２を設けており、その大径部１２から先端部に向かっては円錐形状をなしている。即ち、大径部１２の先端部は尖った形状をなしている。その大径部１２が消しゴム片２の穴部２２の中に設けられた台径部２３に係合することで消しゴム片２が不用意に脱落することを防止している。大径部１２を先端に向かって円錐状となしたのは、消しゴム片２の孔２２への挿着の容易性を考慮してのことである。
また、突起部１１の側面には縦リブ１３が設けられている。この縦リブ１３が消しゴム片２の穴部２２の内面に食い込むことでリング状部材１の反転による消しゴム片２の展開・格納操作のときに消しゴム片２が不用意に回転してしまうことを防止している。消しゴム片２を展開した状態で消しゴム片２が不用意に回転してしまうと、消しゴム片２を格納する前に全ての消しゴムの位置を合わせなければならなくなる。その位置合わせの手間を防止するためになされた手段である。
【００１１】
ただし、消しゴム片２の穴部２２の内面には溝などを設けていないので、その突起部１１は平滑な穴部２２の内面に食い込んでいるだけである。
このため、リング状部材１と消しゴム片２は使用者の任意で図５に示すように回転させて使用することも可能である。このように回転させて使用すればリング状部材１に近い位置に存在する角部２１も使いやすい位置に持ってくることができる。
尚、本実施例では、リング状部材１と消しゴム片２とを着脱自在にしているが、後述するように、リング状部材１と消しゴム片２とを射出成形などの手段によって一体成形などし、リング部材にも消しゴムとしての作用を付しても良い。
【００１２】
図６に本発明にかかる第２の実施例を示す。
本実施例では消しゴムの形状を扇形のまま突端を落とさない形にしている。消しゴムをこのような形状とすることにより、使える角部の数は減ってしまうが、より鋭角的な角部を得ることが出来るので、製図用消しゴムなど細かな部分の消去を必要とする際に便利である。
【００１３】
図７は本発明にかかる第３の実施例の上面図である。
本実施例はリング状部材１ａに消しゴム片２ａを格納した状態のとき、楕円形となるようになしたものである。このように楕円形状をなすことで、消しゴム片２ａの突端２ａ１は第２実施例の場合に比べ、より鋭角な消しゴム片２ａ２と、より鈍角な消しゴム片２ａ３が得られる。これにより、より細かいところを消去するための消しゴム片２ａ２と、通常使用する消しゴム片２ａ３とに使い分けることが出来るようになる。
【００１４】
図８に本発明にかかる第４の実施例を示す。
本実施例は消しゴムを格納した際におけるリング状部材１ｂの外周に断面が三角形状の縦リブ１ｂ１を設けたものである。この縦リブ１ｂ１を設けることによって、リング状部材１ｂのリブ方向の剛性が高まり、リング状部材１ｂを反転させる際に発生するねじれに対してねじれを戻そうとする力が強く働くようになる。その結果、反転操作をスムーズに小気味よく行えるようになるものである。また、この縦リブ１ｂ１があることにより、格納状態でも製品が転がってしまう心配もない。
尚、本例においては、リング状部材１ｂにも消しゴムとしての作用を付すことによって、即ち、リング状部材を消去の性のある材質で形成することによって、前記縦リブ１ｂ１の角部１ｂ１ａでも細かい部分の消去が可能となる。
【００１５】
図９に第５実施例の格納状態、図１０に同実施例の展開状態を示す。
本実施例は、四角形のリング状部材１ｅに２つの消しゴム片２ｃを対向する位置に接合した例である。一方の消しゴム片２ｃ１には、立方体の突出部２ｃ２が延設形成されており、他方の消しゴム片２ｄ２には前記突出部２ｃ２が嵌まり込む切り欠き部２ｄ２が形成されている。消しゴム片２ｃの格納時においては、筆入れや引き出しの中に収納しても納まりがよく、従来一般に普及している四角柱形の消しゴムと比較しても違和感なく使用できるものである。
【００１６】
図１１に本発明にかかる第６の実施例を示す。
本実施例はリング状部材１ｄ、並びに、そのリング状部材１ｄに消しゴム片２ｄを格納した状態のときに六角形となるようになしたものである。このような構造を採ることで、消しゴム片２ｄを格納状態でも製品が転がってしまう心配がない。また、八角形や十角形と言ったように角数を多くするに従って、消しゴム片２ｄの突端２ｄ１はより鋭角となり、細かい部分の消去に便利なものとなる。
【００１７】
図１２に本発明にかかる第７の実施例を示す。
本実施例は、リング状部材１ｅの幅より消しゴム片２ｅの幅を厚くしている。しかし、消しゴム片２ｅの幅は消しゴム格納時の中心に向かって徐々に薄くなっており、中心付近ではリング状部材１ｅの幅と同等か、それより薄くなっている。
消しゴム片２ｅの厚さを格納時における外周部の厚さと同等にしてしまうと、リング状部材１ｅを反転させて消しゴム片２ｅを展開する操作を行うとき、中心部分で消しゴム片２ｅの突端２ｅ１が互いに緩衝してしまい展開操作がしにくくなってしまう。よって、中心部分の厚さはリング状部材１ｅの幅と同等か、それより薄くすることとしたが、リング状部材１ｅを非状に伸縮性に富んだ材質で形成すれば、消しゴム片２ｅの中心部分の厚さを格納時における外周部の厚さと同等、あるいはそれ以上の厚さとしても良い。消しゴム片２ｅの突端２ｅ１が互いに緩衝したときに、前記リング状部材１ｅの伸張によって前記の緩衝作用が相殺され、消しゴム片２ｅを展開することが可能となる。
【００１８】
図１３に本発明にかかる第８の実施例の消しゴム展開状態を、図１４に同実施例の消しゴム格納状態から消しゴム片２ｆを１つだけ取り外した状態を示す。
本実施例におけるリング状部材１ｆはその横断面形状を円形とし、また、等間隔な数箇所に溝１ｆ１を設けている。その溝１ｆ１の内側はほぼ球形状にくり貫かれており、消しゴム片２ｆに設けられたボール状突起２ｆ１と嵌合して回動・回転・着脱が可能なジョイントとして機能する。
このような構造を採ることにより、消しゴム片２ｆは単独での展開が可能となり、使用時に於いてもコンパクトな状態で使用できるようになるとともに、ボール状突起２ｆ１の側に位置する角部も容易に使用することができるようになる。
【００１９】
図１５に本発明にかかる第９の実施例の要部拡大図を示す。
本実施例におけるリング状部材１ｇと消しゴム片２ｇは、射出成形などの手段によって一体成形されているが、接着や溶着などの手段によって完全に固定しても良く、通常使用の範囲内に於いては決して離脱することがない。
このように、リング状部材１ｇと消しゴム片２ｇを一体化することによって、展開・格納操作時における消しゴム片２ｇの不意な脱落という煩わしさを解消することができるものである。
【産業上の利用可能性】
【００２０】
本発明による消しゴムは請求項に示された形態を持って前述のような作用・効果を得たので、角部を多く持つ形状でありながら、コンパクトに収納できる消しゴムを供給することに成功している。
【図面の簡単な説明】
【００２１】
【図１】本発明にかかる消しゴムの消しゴム展開状態の斜視図である。
【図２】本発明にかかる消しゴムの消しゴム格納状態の斜視図である。
【図３】消しゴム展開状態で消しゴムを１つ分離し、且つ分離した消しゴムの断面を示した状態の斜視図である。
【図４】リング状部材の突起部を示した拡大図である。
【図５】消しゴム展開状態で消しゴム片を１つ回転させた状態の斜視図である。
【図６】第２実施例を示した斜視図である。
【図７】第３実施例を示した上面図である。
【図８】第４実施例を示した斜視図である。
【図９】第５実施例の消しゴム片格納状態を示した上面図である。
【図１０】第５実施例の消しゴム片展開状態を示した上面図である。
【図１１】第６実施例を示した斜視図である。
【図１２】第７実施例を示した斜視図である。
【図１３】第８実施例の消しゴム片展開状態で消しゴム片を１つ回転させた状態の斜視図である。
【図１４】第８実施例の消しゴム片格納状態で消しゴム片を１つ取り外した状態の斜視図である。
【図１５】第９実施例の要部拡大図である。
【符号の説明】
【００２２】
１          リング状部材
１１        突起部
１２        大径部
１３        縦リブ
１ａ        第３実施例にかかるリング状部材
１ｂ        第４実施例にかかるリング状部材
１ｂ１      縦リブ
１ｄ        第６実施例にかかるリング状部材
１ｅ        第７実施例にかかるリング状部材
１ｆ        第８実施例にかかるリング状部材
１ｆ１      溝部
１ｇ        第９実施例におけるリング状部材
２          消しゴム片
２１        角部
２２        穴部
２３        大径部
２ａ        第３実施例にかかる消しゴム
２ａ１      第３実施例にかかる突端
２ｃ        第５実施例にかかる消しゴム
２ｄ        第６実施例にかかる消しゴム
２ｄ１      第６実施例にかかる突端
２ｅ        第７実施例にかかる消しゴム
２ｅ１      第７実施例にかかる突端
２ｆ        第８実施例にかかる消しゴム
２ｆ１      突部
２ｇ        第９実施例にかかる消しゴム
【図１】
2008110556.tif 000003
【図２】
2008110556.tif 000004
【図３】
2008110556.tif 000005
【図４】
2008110556.tif 000006
【図５】
2008110556.tif 000007
【図６】
2008110556.tif 000008
【図７】
2008110556.tif 000009
【図８】
2008110556.tif 000010
【図９】
2008110556.tif 000011
【図１０】
2008110556.tif 000012
【図１１】
2008110556.tif 000013
【図１２】
2008110556.tif 000014
【図１３】
2008110556.tif 000015
【図１４】
2008110556.tif 000016
【図１５】
2008110556.tif 000017